(57)【特許請求の範囲】
【請求項１】
点光源デバイスを用いて、光を反射する作業関連面を含む作業領域を照明する照明方法であって、
前記作業関連面は、当該面の曲がるにつれて最も離隔するような基準接線が当該面上の点毎に決定される曲面であり、
前記点光源デバイスは、点又は略点光源と、該点又は略点光源からの放射光を受光して当該放射光の配光を制御する配光制御部と、配光角の制御された当該放射光を分散させる分散制御部とを備えており、
前記照明方法は、
複数の前記点光源デバイスを、少なくとも２列であって、当該列の伸長方向が１つの当該基準接線の方向と平行となるような又は１つの当該基準接線の方向と所定の鋭角以内で揃うような少なくとも２列となるように配列させ、且つ当該列の伸長方向における前記点又は略点光源の位置について互いにずれている２つの列が当該少なくとも２列に含まれるように配列させて、隣接する点光源デバイスから出射しており配光角の制御された且つ分散された出射光同士を重畳させ、
複数の前記点光源デバイスからの重畳し合った出射光群を前記作業領域に照射し、前記作業関連面における複数の輝線の出現を抑制する
ことを特徴とする照明方法。
【請求項２】
前記分散制御部は、配光角の制御された放射光を分散させる複数の配列した微小レンズを備えており、当該微小レンズは、曲率半径Ｒ、隣接した当該微小レンズにおけるレンズ頂点間の距離であるピッチＰ、又は該曲率半径Ｒ及び該ピッチＰの両方が、レンズ配列面内における２つの方向の間で互いに異なっている異方性微小レンズであり、
前記照明方法は、
前記複数の配列した微小レンズからの出射光における照明形状の長手方向が、１つの当該基準接線の方向と平行となるように又は１つの当該基準接線の方向と所定の鋭角以内で揃うように複数の前記点光源デバイスを配置して、前記作業領域を照明する
ことを特徴とする請求項１に記載の照明方法。
【請求項３】
点光源デバイスを用いて、光を反射する作業関連面を含む作業領域を照明する照明方法であって、
前記作業関連面は、当該面の曲がるにつれて最も離隔するような基準接線が当該面上の点毎に決定される曲面であり、
前記点光源デバイスは、点又は略点光源と、該点又は略点光源からの放射光を受光して当該放射光の配光を制御する配光制御部と、配光角の制御された当該放射光を分散させる分散制御部とを備えており、
前記照明方法は、
複数の前記点光源デバイスを、少なくとも３列であって、当該列の伸長方向が１つの当該基準接線の方向と平行となるような又は１つの当該基準接線の方向と所定の鋭角以内で揃うような少なくとも３列となるように配列させ、且つ当該列の伸長方向における前記点又は略点光源の位置について１つの列が他の２つの列のいずれと比べても互いにずれているような３つの列が当該少なくとも３列に含まれるように配列させて、隣接する点光源デバイスから出射しており配光角の制御された且つ分散された出射光同士を重畳させ、
複数の前記点光源デバイスからの重畳し合った出射光群を前記作業領域に照射する
ことを特徴とする照明方法。
【請求項４】
点光源デバイスを用いて、光を反射する作業関連面を含む作業領域を照明する照明方法であって、
前記作業関連面は、当該面の曲がるにつれて最も離隔するような基準接線が当該面上の点毎に決定される曲面であり、
前記点光源デバイスは、点又は略点光源と、該点又は略点光源からの放射光を受光して当該放射光の配光を制御する配光制御部と、配光角の制御された当該放射光を分散させる分散制御部とを備えており、
前記照明方法は、
複数の前記点光源デバイスを、前記作業関連面の曲率半径と、隣接する前記点又は略点光源間の距離とに基づいて決定される距離閾値以上の距離をもって、前記作業関連面から離隔した位置に配置し、さらに、前記複数の点光源デバイスを、少なくとも２列であって、当該列の伸長方向が１つの当該基準接線の方向と平行となるような又は１つの当該基準接線の方向と所定の鋭角以内で揃うような少なくとも２列となるように配列させ、且つ当該列の伸長方向における前記点又は略点光源の位置について互いにずれている２つの列が当該少なくとも２列に含まれるように配列させて、隣接する点光源デバイスから出射しており配光角の制御された且つ分散された出射光同士を重畳させ、
複数の前記点光源デバイスからの重畳し合った出射光群を前記作業領域に照射する
ことを特徴とする照明方法。
【請求項５】
点光源デバイスを用いて、光を反射する作業関連面を含む作業領域を照明する照明方法であって、
前記作業関連面は、当該面の曲がるにつれて最も離隔するような基準接線が当該面上の点毎に決定される曲面であり、
前記点光源デバイスは、点又は略点光源と、該点又は略点光源からの放射光を受光して当該放射光の配光を制御する配光制御部と、配光角の制御された当該放射光を分散させる分散制御部とを備えており、
前記分散制御部は、配光角の制御された放射光を分散させる複数の配列した微小レンズを備えており、当該微小レンズは、曲率半径Ｒ、隣接した当該微小レンズにおけるレンズ頂点間の距離であるピッチＰ、又は該曲率半径Ｒ及び該ピッチＰの両方が、レンズ配列面内における２つの方向の間で互いに異なっている異方性微小レンズであり、
前記照明方法は、
前記複数の配列した微小レンズからの出射光における照明形状の長手方向が、１つの当該基準接線の方向と平行となるように又は１つの当該基準接線の方向と所定の鋭角以内で揃うように複数の前記点光源デバイスを配置して、隣接する点光源デバイスから出射しており配光角の制御された且つ分散された出射光同士を重畳させ、
複数の前記点光源デバイスからの重畳し合った出射光群を前記作業領域に照射し、前記作業関連面における複数の輝線の出現を抑制する
ことを特徴とする照明方法。
【請求項６】
光を反射する作業関連面であって、当該面の曲がるにつれて最も離隔するような基準接線が当該面上の点毎に決定される曲面である作業関連面を含む作業領域と、該作業領域を照明するための照明装置とを含む照明システムであって、
前記照明装置は、
点又は略点光源と、該点又は略点光源からの放射光を受光して当該放射光の配光を制御する配光制御部と、配光角の制御された当該放射光を分散させる分散制御部とを備えた複数の点光源デバイスを有し、
複数の前記点光源デバイスは、少なくとも２列であって、当該列の伸長方向が１つの当該基準接線の方向と平行となるような又は１つの当該基準接線の方向と所定の鋭角以内で揃うような少なくとも２列となるように配列され、且つ当該列の伸長方向における前記点又は略点光源の位置について互いにずれている２つの列が当該少なくとも２列に含まれるように配列されており、隣接する点光源デバイスから出射しており配光角の制御された且つ分散された出射光同士が重畳していて、前記作業関連面における複数の輝線の出現を抑制した照明を行う
ことを特徴とする照明システム。
【請求項７】
前記分散制御部は、配光角の制御された放射光を分散させる複数の配列した微小レンズを備えており、当該微小レンズは、曲率半径Ｒ、隣接した当該微小レンズにおけるレンズ頂点間の距離であるピッチＰ、又は該曲率半径Ｒ及び該ピッチＰの両方が、レンズ配列面内における２つの方向の間で互いに異なっている異方性微小レンズであり、
複数の前記点光源デバイスは、前記複数の配列した微小レンズからの出射光における照明形状の長手方向が、１つの当該基準接線の方向と平行となるように又は１つの当該基準接線の方向と所定の鋭角以内で揃うように配置されている
ことを特徴とする請求項６に記載の照明システム。
【請求項８】
光を反射する作業関連面であって、当該面の曲がるにつれて最も離隔するような基準接線が当該面上の点毎に決定される曲面である作業関連面を含む作業領域と、該作業領域を照明するための照明装置とを含む照明システムであって、
前記照明装置は、
点又は略点光源と、該点又は略点光源からの放射光を受光して当該放射光の配光を制御する配光制御部と、配光角の制御された当該放射光を分散させる分散制御部とを備えた複数の点光源デバイスを有し、
前記分散制御部は、配光角の制御された放射光を分散させる複数の配列した微小レンズを備えており、当該微小レンズは、曲率半径Ｒ、隣接した当該微小レンズにおけるレンズ頂点間の距離であるピッチＰ、又は該曲率半径Ｒ及び該ピッチＰの両方が、レンズ配列面内における２つの方向の間で互いに異なっている異方性微小レンズであり、
複数の前記点光源デバイスは、前記複数の配列した微小レンズからの出射光における照明形状の長手方向が、１つの当該基準接線の方向と平行となるように又は１つの当該基準接線の方向と所定の鋭角以内で揃うように配置されており、隣接する点光源デバイスから出射しており配光角の制御された且つ分散された出射光同士が重畳していて、前記作業関連面における複数の輝線の出現を抑制した照明を行う
ことを特徴とする照明システム。
【発明の詳細な説明】
【技術分野】
【０００１】
本発明は、工作機械を設置したエリア等の作業領域を照明する技術に関する。
【背景技術】
【０００２】
ＬＥＤ（Light Emitting Diode）を用いた照明手段が急速に普及している。ＬＥＤ照明装置は、現在、オフィスや家庭だけでなく街路灯、広告照明、イルミネーション等に広く利用されている。
【０００３】
特に、ＬＥＤ照明装置は、低消費電力及び長寿命でありながら、比較的小型にして高い照度を達成できるので、例えば、作業対象物を目視しながら高精度の加工を実現するような作業を行う際の作業領域を照明するのにも適している。
【０００４】
このようなＬＥＤを利用した作業領域の照明技術として、例えば特許文献１は、工作機械の機内のうち、作業者の視認が必要な複数の要視認箇所に照明光を照射し、要視認箇所の周囲と比較してこれらの要視認箇所を差別化する技術を開示している。これにより、作業者の視認が必要な要視認箇所を特定することができる。ここで、照明装置の光源には白色ＬＥＤが使用されている。
【０００５】
また、例えば特許文献２には、制御盤や工作機械等の内部を照明する盤内照明器具が開示されている。この照明器具では、従来の蛍光灯に代えてＬＥＤを使用し、器具の小型軽量化や、組込み作業及びメンテナンス作業の容易化を図っている。
【０００６】
尚、ＬＥＤによる照明ではないが、例えば特許文献３には、椀状の照明カバーと、円環状の照明ランプとを有する工作機械用照明装置が開示されている。この照明装置では、工作機械の主軸下端にチャックを介して取り付けられている刃物や、工作機械のテーブル上にクランプによって固定されているワーク材が全周から照明される。その結果、工作機械の加工部分において照明による影がほとんどできず、加工部分の視認性が高まる。
【先行技術文献】
【特許文献】
【０００７】
【特許文献１】特開２０１３−２２０５１３号公報
【特許文献２】特開２０１２−１３３９２９号公報
【特許文献３】特開２００５−２８４６１号公報
【発明の概要】
【発明が解決しようとする課題】
【０００８】
以上に説明したように、工作機械を含む作業領域の照明には従来、様々な工夫がなされてきた。しかしながら、現在、点光源であるＬＥＤを複数使用した照明装置をもって、旋盤等を用いた作業を行う作業領域を照明した場合に、点光源由来の複数の輝線が、作業に関連する面に映り込んでしまい作業の障害となる問題が生じている。
【０００９】
例えば、旋盤、フライス盤や、ボール盤等を用いた加工対象物の加工の際、ビビりと呼ばれる激しい振動が発生し、作業の邪魔になり得ることは周知である。実際、現場では、このビビりが発現しそうな際には、主軸の回転数や切込み深さ等の加工条件を調整してその発現を抑えることになるが、その際、作業者が、回転主軸や加工対象物の外曲面の振動具合やビビり特有の模様（ビビりマーク）を視認して、ビビりの発現を素早く察知することが非常に重要となる。
【００１０】
しかしながら、回転主軸や加工対象物の外曲面といった作業関連面に、点光源由来の複数の輝線が映り込んでいる場合、ビビりが発生しているのか否かの判断が非常に困難となる。また、そもそも、作業関連面に微細構造を思わせる複数の輝線が視認される中、微細な加工を目視で行う作業は、非常にやりづらい困難なものとなる。
【００１１】
このような問題への対策として、例えば、特許文献３に記載された蛍光灯を使用した照明技術を適用したとしても、そもそも作業領域の照明にＬＥＤを利用したいとの要請に沿わない。さらに、引用文献１及び２に記載されたような従来技術では、輝線対策の必要であること自体が認識されておらず、結果として当然に、そのような対策が照明構成に具現されていない。
【００１２】
そこで、本発明は、点光源を用いて照明を行っても、照明対象の作業関連面における複数の輝線の発生を抑制可能な照明方法及び照明システムを提供することを目的とする。
【課題を解決するための手段】
【００１３】
本発明によれば、点光源デバイスを用いて、光を反射する作業関連面を含む作業領域を照明する照明方法であって、
作業関連面は、当該面の曲がるにつれて最も離隔するような基準接線が当該面上の点毎に決定される曲面であり、
点光源デバイスは、点又は略点光源と、この点又は略点光源からの放射光を受光して当該放射光の配光を制御する配光制御部と、配光角の制御された当該放射光を分散させる分散制御部とを備えており、
本照明方法は、
複数の点光源デバイスを、少なくとも２列であって、当該列の伸長方向が１つの当該基準接線の方向と平行となるような又は１つの当該基準接線の方向と所定の鋭角以内で揃うような少なくとも２列となるように配列させ、且つ当該列の伸長方向における前記点又は略点光源の位置について互いにずれている２つの列が当該少なくとも２列に含まれるように配列させて、隣接する点光源デバイスから出射しており配光角の制御された且つ分散された出射光同士を重畳させ、
複数の点光源デバイスからの重畳し合った出射光群を作業領域に照射し、作業関連面における複数の輝線の出現を抑制する
ことを特徴とする照明方法が提供される。
【００１４】
本発明によれば、また、点光源デバイスを用いて、光を反射する作業関連面を含む作業領域を照明する照明方法であって、
作業関連面は、当該面の曲がるにつれて最も離隔するような基準接線が当該面上の点毎に決定される曲面であり、
点光源デバイスは、点又は略点光源と、該点又は略点光源からの放射光を受光して当該放射光の配光を制御する配光制御部と、配光角の制御された当該放射光を分散させる分散制御部とを備えており、
本照明方法は、
複数の点光源デバイスを、少なくとも３列であって、当該列の伸長方向が１つの当該基準接線の方向と平行となるような又は１つの当該基準接線の方向と所定の鋭角以内で揃うような少なくとも３列となるように配列させ、且つ当該列の伸長方向における点又は略点光源の位置について１つの列が他の２つの列のいずれと比べても互いにずれているような３つの列が当該少なくとも３列に含まれるように配列させて、隣接する点光源デバイスから出射しており配光角の制御された且つ分散された出射光同士を重畳させ、
複数の点光源デバイスからの重畳し合った出射光群を作業領域に照射する
ことを特徴とする照明方法が提供される。
【００１５】
また、本発明による照明方法の一実施形態として、分散制御部は、配光角の制御された放射光を分散させる複数の配列した微小レンズを備えており、当該微小レンズは、曲率半径Ｒ、隣接した当該微小レンズにおけるレンズ頂点間の距離であるピッチＰ、又は該曲率半径Ｒ及び該ピッチＰの両方が、レンズ配列面内における２つの方向の間で互いに異なっている異方性微小レンズであり、
本照明方法は、
複数の配列した微小レンズからの出射光における照明形状の長手方向が、１つの当該基準接線の方向と平行となるように又は１つの当該基準接線の方向と所定の鋭角以内で揃うように複数の前記点光源デバイスを配置して、作業領域を照明することも好ましい。
【００１６】
本発明によれば、さらに、点光源デバイスを用いて、光を反射する作業関連面を含む作業領域を照明する照明方法であって、
作業関連面は、当該面の曲がるにつれて最も離隔するような基準接線が当該面上の点毎に決定される曲面であり、
点光源デバイスは、点又は略点光源と、この点又は略点光源からの放射光を受光して当該放射光の配光を制御する配光制御部と、配光角の制御された当該放射光を分散させる分散制御部とを備えており、
本照明方法は、
複数の点光源デバイスを、作業関連面の曲率半径と、隣接する点又は略点光源間の距離とに基づいて決定される距離閾値以上の距離をもって、作業関連面から離隔した位置に配置し、さらに、これら複数の点光源デバイスを、少なくとも２列であって、当該列の伸長方向が１つの当該基準接線の方向と平行となるような又は１つの当該基準接線の方向と所定の鋭角以内で揃うような少なくとも２列となるように配列させ、且つ当該列の伸長方向における点又は略点光源の位置について互いにずれている２つの列が当該少なくとも２列に含まれるように配列させて、隣接する点光源デバイスから出射しており配光角の制御された且つ分散された出射光同士を重畳させ、
複数の点光源デバイスからの重畳し合った出射光群を前記作業領域に照射する
ことを特徴とする照明方法が提供される。
【００１７】
本発明によれば、また、点光源デバイスを用いて、光を反射する作業関連面を含む作業領域を照明する照明方法であって、
作業関連面は、当該面の曲がるにつれて最も離隔するような基準接線が当該面上の点毎に決定される曲面であり、
点光源デバイスは、点又は略点光源と、この点又は略点光源からの放射光を受光して当該放射光の配光を制御する配光制御部と、配光角の制御された当該放射光を分散させる分散制御部とを備えており、
分散制御部は、配光角の制御された放射光を分散させる複数の配列した微小レンズを備えており、当該微小レンズは、曲率半径Ｒ、隣接した当該微小レンズにおけるレンズ頂点間の距離であるピッチＰ、又は曲率半径Ｒ及びピッチＰの両方が、レンズ配列面内における２つの方向の間で互いに異なっている異方性微小レンズであり、
本照明方法は、
複数の配列した微小レンズからの出射光における照明形状の長手方向が、１つの当該基準接線の方向と平行となるように又は１つの当該基準接線の方向と所定の鋭角以内で揃うように複数の点光源デバイスを配置して、隣接する点光源デバイスから出射しており配光角の制御された且つ分散された出射光同士を重畳させ、
複数の点光源デバイスからの重畳し合った出射光群を前記作業領域に照射し、作業関連面における複数の輝線の出現を抑制する
ことを特徴とする照明方法が提供される。
【００１８】
本発明によれば、さらに、光を反射する作業関連面であって、当該面の曲がるにつれて最も離隔するような基準接線が当該面上の点毎に決定される曲面である作業関連面を含む作業領域と、この作業領域を照明するための照明装置とを含む照明システムであって、
上記の照明装置は、
点又は略点光源と、この点又は略点光源からの放射光を受光して当該放射光の配光を制御する配光制御部と、配光角の制御された当該放射光を分散させる分散制御部とを備えた複数の点光源デバイスを有し、
複数の点光源デバイスは、少なくとも２列であって、当該列の伸長方向が１つの当該基準接線の方向と平行となるような又は１つの当該基準接線の方向と所定の鋭角以内で揃うような少なくとも２列となるように配列され、且つ当該列の伸長方向における点又は略点光源の位置について互いにずれている２つの列が当該少なくとも２列に含まれるように配列されており、隣接する点光源デバイスから出射しており配光角の制御された且つ分散された出射光同士が重畳していて、作業関連面における複数の輝線の出現を抑制した照明を行う
ことを特徴とする照明システムが提供される。
【００１９】
この本発明による照明システムの一実施形態として、分散制御部は、配光角の制御された放射光を分散させる複数の配列した微小レンズを備えており、当該微小レンズは、曲率半径Ｒ、隣接した当該微小レンズにおけるレンズ頂点間の距離であるピッチＰ、又は曲率半径Ｒ及びピッチＰの両方が、レンズ配列面内における２つの方向の間で互いに異なっている異方性微小レンズであり、
複数の点光源デバイスは、複数の配列した微小レンズからの出射光における照明形状の長手方向が、１つの当該基準接線の方向と平行となるように又は１つの当該基準接線の方向と所定の鋭角以内で揃うように配置されていることも好ましい。
【００２０】
本発明によれば、さらにまた、光を反射する作業関連面であって、当該面の曲がるにつれて最も離隔するような基準接線が当該面上の点毎に決定される曲面である作業関連面を含む作業領域と、この作業領域を照明するための照明装置とを含む照明システムであって、
上記の照明装置は、
点又は略点光源と、この点又は略点光源からの放射光を受光して当該放射光の配光を制御する配光制御部と、配光角の制御された当該放射光を分散させる分散制御部とを備えた複数の点光源デバイスを有し、
分散制御部は、配光角の制御された放射光を分散させる複数の配列した微小レンズを備えており、当該微小レンズは、曲率半径Ｒ、隣接した当該微小レンズにおけるレンズ頂点間の距離であるピッチＰ、又は曲率半径Ｒ及びピッチＰの両方が、レンズ配列面内における２つの方向の間で互いに異なっている異方性微小レンズであり、
複数の点光源デバイスは、複数の配列した微小レンズからの出射光における照明形状の長手方向が、１つの当該基準接線の方向と平行となるように又は１つの当該基準接線の方向と所定の鋭角以内で揃うように配置されており、隣接する点光源デバイスから出射しており配光角の制御された且つ分散された出射光同士が重畳していて、作業関連面における複数の輝線の出現を抑制した照明を行う
ことを特徴とする照明システムが提供される。
【発明の効果】
【００２１】
本発明の照明方法及び照明システムによれば、点光源を用いて照明を行っても、照明対象の作業関連面における複数の輝線の発生を抑制することができる。
【図面の簡単な説明】
【００２２】
【図１】本発明による照明システムの一実施形態を示す模式図である。
【図２】本発明に係る照明装置及び点光源デバイスの一実施形態を示す模式図である。
【図３】本発明に係る点光源デバイスの分散制御部における幾つかの実施形態を示す模式図である。
【図４】本発明に係る点光源デバイスを用いた照射実験の実施例における照明形状を示すグラフである。
【図５】従来の照明方法の一例、及び本発明による照明方法における幾つかの実施形態を示す模式図である。
【図６】従来の照明方法の一例、及び本発明による照明方法における幾つかの実施形態を示す模式図である。
【図７】本発明による照明方法の実施例１及び２を示す模式図及びテーブルである。
【図８】実施例１における作業関連面での輝線映り込みの様子を示す写真である。
【図９】実施例２における作業関連面での輝線映り込みの様子を示す写真である。
【発明を実施するための形態】
【００２３】
以下に、本発明を実施するための形態について、添付図面を参照しながら詳細に説明する。尚、各図面において、同一の構成要素は、同一の参照番号を用いて示されている。また、種々の異なる実施形態を取り得る構成要素が、共通の参照番号で示される場合も存在する。尚、図面中の構成要素内及び構成要素間の寸法比は、図面の見易さのため、それぞれ任意となっている。
【００２４】
［照明システム］
図１は、本発明による照明システムの一実施形態を示す模式図である。図面中、当該システムにおける各種方向を明示するために、ＸＹＺ直交座標系が当該システムに設定されている。
【００２５】
図１（Ａ）によれば、本実施形態のＬＥＤ照明システム２は、ＬＥＤ照明装置１と、工作機械である旋盤３とを含む。旋盤３は、同図において、本発明に関わる主軸周り以外の部分が省略された形で描かれている。旋盤３は、加工材４を取り付け可能な主軸部を備えており、この主軸部は、金属面等であって光を反射し得る作業関連面である主軸第１外面３１及び主軸第２外面３２を有する。
【００２６】
主軸第１外面３１及び主軸第２外面３２は各々、当該面の曲がるにつれて最も離隔するような基準接線ｔが当該面上の点毎に決定される曲面であり、本実施形態では円柱面の一部となっている。尚、作業関連面としての主軸第１外面３１及び主軸第２外面３２の範囲は、ＬＥＤ照明装置１によって実際に所定の照度以上で照明される範囲とすることができる。
【００２７】
図１（Ａ）には、主軸第１外面３１（主軸第２外面３２）における２つの基準接線ｔ31（ｔ32）が描かれているが、基準接線ｔ31（ｔ32）は、当該面上の点毎に無数に存在する。尚、主軸第１外面３１（主軸第２外面３２）は、基準接線ｔ31（ｔ32）に直交する接線の方向（Ｘ軸方向）、即ち主軸部の回転軸の方向においては曲がっておらず、この回転軸（Ｘ軸方向）に沿って真っすぐ伸長している。
【００２８】
また、本実施形態では、旋盤４の主軸部に取り付けられた加工材４も、金属面等であって光を反射し得る作業関連面である加工材外面４１を有する。加工材外面４１も、当該面の曲がるにつれて最も離隔するような基準接線ｔが当該面上の点毎に決定される曲面であり、本実施形態では円柱面の一部となっている。図１（Ａ）には、加工材外面４１における２つの基準接線ｔ41が描かれているが、基準接線ｔ41も、当該面上の点毎に無数に存在する。また、加工材外面４１も、基準接線ｔ41に直交する接線の方向（Ｘ軸方向）、即ち主軸部の回転軸の方向においては曲がっておらず、この回転軸（Ｘ軸方向）に沿って真っすぐ伸長している。
【００２９】
ここで、従来の複数のＬＥＤ光源（点光源）及び通常のレンズ系を用いて、主軸第１外面３１、主軸第２外面３２及び加工材外面４１を含む作業領域を照明した場合、主軸第１外面３１、主軸第２外面３２及び加工材外面４１には、（Ｘ軸方向に伸長した）複数の輝線が必ず出現していた。この複数の輝線は、複数のＬＥＤ光源由来の光像であるが、これらの作業関連面に映り込んでしまい作業の障害となる問題が生じていた。
【００３０】
例えば、旋盤３による加工材４の加工の際、ビビりと呼ばれる激しい振動が発生する場合がある。作業者は、このビビりが発現しそうな際には、主軸の回転数や切込み深さ等の加工条件を調整してその発現を抑えることになるが、その際、作業者が、主軸第１外面３１、主軸第２外面３２及び加工材外面４１の振動具合や出現するビビりマークを視認して、ビビりの発現を素早く察知することが非常に重要となる。
【００３１】
しかしながら、主軸第１外面３１、主軸第２外面３２及び加工材外面４１に、点光源由来の複数の輝線が映り込んでいる場合、ビビりが発生しているのか否かの判断が非常に困難となる。また、そもそも、これらの作業関連面に微細構造を思わせる複数の輝線が視認される中、微細な加工を目視で行う作業は、非常にやりづらい困難なものとなる。
【００３２】
このような複数の輝線発現を阻止するため、ＬＥＤ照明装置１は、後に図２を用いて示すように、装置長手方向に伸長した３列をなす複数のＬＥＤ照明デバイス（点光源デバイス）１０を備えている。これらのＬＥＤ照明デバイス１０は、同じく後に図２を用いて詳述するように、点光源であるＬＥＤ光源１０１と、ＬＥＤ光源１０１からの放射光を受光して当該放射光の配光（配光角）を制御する配光制御部１０２と、配光角の制御された当該放射光を分散させる分散制御部１０３とを備えている。さらに、ＬＥＤ照明デバイス１０のなす３列のうちのいずれの１つの列をとっても、この１つの列は、当該列の伸長方向におけるＬＥＤ光源１０１の位置について、他の２つの列のいずれとも互いにずれている。
【００３３】
ここで、複数のＬＥＤ照明デバイス１０のなす３列の伸長方向、即ち図１における装置長手方向は、Ｙ軸方向であって、
（ａ）主軸第１外面３１における１つの（図１では外面最上部の）基準接線ｔ31の方向、
（ｂ）主軸第２外面３２における１つの（図１では外面最上部の）基準接線ｔ32の方向、及び
（ｃ）加工材外面４１における１つの（図１では外面最上部の）基準接線ｔ41の方向
と平行になっている。
【００３４】
ＬＥＤ照明装置１は、
（Ａ）以上に述べたような配列をなす互いに隣接するＬＥＤ照明デバイス１０から出射しており配光角の制御された且つ分散された出射光同士を重畳させ、
（Ｂ）複数のＬＥＤ照明デバイス１０からの重畳し合った出射光群を、主軸第１外面３１、主軸第２外面３２及び加工材外面４１を含む作業領域に照射する
のである。ここで、本実施形態における外面３１、３２及び４１を照らす出射光群（照射光）の様子を、図１（Ｂ）（Ｙ軸方向（側方）から見た照射光の様子）及び図１（Ｃ）（Ｚ軸方向（上方）から見た照射光の様子）に示す。
【００３５】
これにより、従来の複数のＬＥＤ光源（点光源）を用いた照明であれば主軸第１外面３１、主軸第２外面３２及び加工材外面４１に必ず出現していた複数の輝線を解消して、１つの幅広の輝線又は輝帯に落ち着かせることができる。その結果、良好な作業の妨げとなるビビり等の現象にも容易に対処することができ、また、微細な加工等の作業を目視で行う場合でも、煩わされる光像から解放され、より良好な作業を行うことが可能となる。
【００３６】
尚、本実施形態のＬＥＤ照明システム２は、工作機械として横型の旋盤３を備えているが、当然にこれに限定されるものではなく、工作機械として、立型旋盤、正面型旋盤、さらにはフライス盤、ボール盤や、ミーリングセルといった曲面の作業関連面を有するものが採用可能である。ＬＥＤ照明装置１０によれば、これらの工作機械においても発生し得るビビり等の現象に容易に対処することができ、また、これらの工作機械を用いて微細な加工等の作業を目視で行う場合でも、煩わされる光像から解放され、より良好な作業を行うことが可能となる。
【００３７】
また、工作機械である旋盤３の内部にＬＥＤ照明装置１を組み込んで、本実施形態のＬＥＤ照明システム２を、１つの工作機械（旋盤）と見ることも可能である。この場合、本発明は、工作機械（旋盤）の発明とも捉えられる。
【００３８】
［照明装置・点光源デバイス］
図２は、本発明に係る照明装置及び点光源デバイスの一実施形態を示す模式図である。図面中、当該装置及びデバイスにおける各種方向を明示するために、ｘｙｚ直交座標系が当該装置及びデバイスに設定されている。
【００３９】
図２（Ａ）によれば、本実施形態のＬＥＤ照明装置１は、装置の長手方向（ｙ軸方向）に伸長する３つの列に並んだ複数のＬＥＤ照明デバイス１０を備えている。具体的に、ＬＥＤ照明装置１は、配線１３から供給された電力を、制御部１２を介してこれらのＬＥＤ照明デバイス１０に配電し、これらのデバイス１０を覆うように取り付けられた透光性を有する照明カバー（照明窓）を介して、これらのデバイス１０から出射された照射光（出射光群）を照射する。
【００４０】
また、複数のＬＥＤ照明デバイス１０の設置された基台１１（図２（Ｂ））は、互いに連なって、又は所定の間隔をもって直線的に配置されている。変更態様として、これら複数の基台を１つの回路基台として統合し、この回路基台上に複数の光源及び光学系を設置して複数のＬＥＤ照明デバイス１０としてもよい。また、ＬＥＤ照明装置１の筐体は、アルミダイキャスト若しくはステンレス鋼等の金属材料、又はポリカーボネート等のプラスチック材料で形成することができる。
【００４１】
さらに、照明カバーは、強化ガラス等のガラス材料又は透光性のプラスチック材料等の透光材料で形成してもよい。また、配線１３と筐体との間、及び蓋体の開口と照明カバーとの間には、装置の設置される作業環境に応じて接着剤、シール部材等を用いた防水・防油処置が施されることも好ましい。
【００４２】
ここで、複数のＬＥＤ照明デバイス１０は、３列または４列以上の列をなして並んでいてもよい。即ち、少なくとも３列であって、
（ア）これらの列の伸長方向（ｙ軸方向）が、作業関連面における１つの基準接線ｔの方向（図１のＹ軸方向）と平行となるような、又は１つの基準接線ｔの方向と所定の鋭角θth1（図１（Ａ））以内で揃うような少なくとも３列となるように配列し、且つ
（イ）これらの列の伸長方向（ｙ軸方向）におけるＬＥＤ光源１０１の位置について１つの列が他の２つの列のいずれと比べても互いにずれている３つの列が、当該少なくとも３列に含まれるように配列していればよい。
【００４３】
また、上記条件（イ）について、具体的に、図２（Ａ）に示したＬＥＤ照明装置１では、
（ａ）最下列と２番目の列との間におけるＬＥＤ光源１０１の位置の列伸長方向（ｙ軸方向）でのずれをｄ1とし、
（ｂ）２番目の列と最上列との間におけるＬＥＤ光源１０１の位置の列伸長方向（ｙ軸方向）でのずれをｄ2とし、
（ｃ）最上列と最下列との間におけるＬＥＤ光源１０１の位置の列伸長方向（ｙ軸方向）でのずれをｄ3とし、
（ｄ）１つの列におけるＬＥＤ光源１０１の位置の列伸長方向（ｙ軸方向）での間隔をＤ1とすると、
次式
（１）  ｄ1＝ｄ2＝ｄ3＝Ｄ1／３
が成立している。
【００４４】
ここで、上記条件（イ）を満たすために、必ずしも上式（１）が成立する必要はない。複数の輝線が出現する作業関連面の曲率や凹凸具合に応じて、ｄ1、ｄ2、ｄ3及びＤ1は様々に調整可能である。例えば、次式
（２）  ｄ1＋ｄ2＋ｄ3＝Ｄ1，ｄ1＞０，ｄ2＞０，ｄ3＞０
が成立すればよい場合も存在する。尚、Ｄ1値（ＬＥＤ光源１０１の間隔）は、ＬＥＤ照明デバイス１０の大きさによって決まる下限を有するが、例えば、１１ｍｍといった小さな値に設定することも可能である。
【００４５】
さらに、複数のＬＥＤ照明デバイス１０は、２列であってもよい。例えば、少なくとも２列であって、
（ウ）これらの列の伸長方向（ｙ軸方向）が、作業関連面における１つの基準接線ｔの方向と平行となるような、又は１つの基準接線ｔの方向と所定の鋭角θth1以内で揃うような少なくとも２列となるように配列し、且つ
（エ）これらの列の伸長方向（ｙ軸方向）におけるＬＥＤ光源１０１の位置について互いにずれている２つの列が、当該少なくとも２列に含まれるように配列していればよい。
実際、２列の場合でも複数の輝線を解消する効果が確認されている。
【００４６】
尚、上記（ア）及び（ウ）における所定の鋭角θth1の一例を図１（Ａ）に示している。図１（Ａ）では、破線で示されたＬＥＤ照明装置１がＹ軸方向から傾いているが、この装置１の伸長方向のＸＹ面への射影の方向とＹ軸方向とのなす角度が、鋭角θth1以内となっていることが分かる。この所定の鋭角θth1は、作業関連面の曲率や凹凸具合にも依存する値であり、所定の照度及び照明範囲が確保され且つ複数の輝線が解消される条件として実際の現場での実験で決定されてもよく、経験値として設定されてもよい。鋭角θth1としては実際に例えば３５°といった値が設定され得る。この場合、このような所定の鋭角θth1の範囲内で装置１の（デバイス列の）向きの変更が許容されるので、装置１の設置向きの自由度が高くなり、照明設計がより容易になる。ちなみに、本実施形態では、作業関連面をＹ軸方向（図１（Ａ）〜（Ｃ））について幅広く照明して作業に資するため、ＬＥＤ照明装置１は、装置長手方向（ｙ軸方向）がこのＹ軸方向と平行となるような形で設置されている。
【００４７】
図２（Ｂ）及び（Ｃ）によれば、ＬＥＤ照明デバイス１０は、基台１１上に脚部を立てて設置されており、
（ａ）点光源であるＬＥＤ光源と、
（ｂ）ＬＥＤ光源からの放射光を受光して当該放射光の配光（配光角）を制御する配光制御部１０２と、
（ｃ）配光角の制御された当該放射光を分散させる分散制御部１０３と
を備えている。
【００４８】
因みに、上記（ｂ）の配光制御部１０２と、上記（ｃ）の分散制御部１０３とは、１つの光学体として、アクリル樹脂、ポリカーボネート樹脂等のプラスチック材料、又は透明光学ガラス若しくは蛍光ガラス等のセラミック材料を用いて一体に形成することができる。
【００４９】
さらに、配光制御部１０２及び分散制御部１０３からなる光学体を複数、例えば３つ連結したものを一体に形成することも可能である。この場合、デバイス作製工程において形成コストや組み立てコストを抑制することができる。
【００５０】
ＬＥＤ光源１０１は、基台上に設置・固定されており、基台の内部又は表面部に設けられた配線回路と電気的に接続され、制御部１２からの電力供給を受けて放射光を放射する。
【００５１】
具体的に、ＬＥＤ光源１０１は、第１波長の光を放射する発光ダイオードチップ（ＬＥＤチップ）を備え、少なくともこの第１波長の光と第１波長とは異なる第２波長の光との混色光を放射する光源である。ＬＥＤ光源１０１としては、例えば、第１波長の光（例えば青色光）を放射するＬＥＤチップと、このＬＥＤチップの発光面を覆っている樹脂であって、この第１波長の光を吸収して第２波長の光（例えば黄色光）を蛍光として発する蛍光体を含む樹脂とを備えているものであってもよい。
【００５２】
ここで、先に述べた配光制御部１０２及び分散制御部１０３からなる光学体によって、放射光の混色化・色均一化が促進されるので、このようなＬＥＤ光源１０１に起因する黄色リング等の色ムラ発生も、十分に抑制することが可能となるのである。
【００５３】
尚、当然にＬＥＤ光源１０１は、上記の形態に限定されるものではない。２つ以上の異なる波長の光を放射するＬＥＤチップを備えていてもよい。また、発光部が所定の面積を有する面発光タイプの発光チップを用いた略点光源であってもよい。その他、ＬＥＤ光源１０１に代えて、ＬＥＤ以外の点光源又は略点光源を使用することも可能である。
【００５４】
同じく図２（Ｂ）及び（Ｃ）によれば、配光制御部１０２及び分散制御部１０３からなる光学体は、ＬＥＤ光源１０１の少なくとも上方に位置し、ＬＥＤ光源１０１からの放射光を受光して混色化・色均一化が促進された照射光を放射する光学系である。この光学体は、本実施形態において４本の脚部で基台に設置されているが、設置方法はこれに限定されるものではない。
【００５５】
配光制御部１０２は、ＬＥＤ光源１０１からの放射光（混色光）が入射後に集光されるような入射面（入射内面）を有しており、入射した放射光（混色光）を所定範囲内の値の配光角に制御する。この配光角は、例えば、半値全角幅として５度（°）から４０°までの範囲内の値に制御されることも好ましい。さらに、本実施形態の配光制御部１０２は、少なくともＬＥＤ光源１０１の発光面を内部に含むことのできる凹部１０２ｃを備えている。これにより、ＬＥＤ光源１０１からの放射光を高い効率で受光することが可能となる。
【００５６】
この凹部１０２ｃは、凸レンズ状の入射内面を有している。ＬＥＤ光源１０１からの放射光（混色光）は、この入射内面に入射した後、集光される。その結果、発散する方向に伝播していた放射光（混色光）の配光角を、所定範囲内の値に制御可能となる。尚、凹部１０２ｃの入射内面の形状は、凸レンズ状に限定されるものではなく、ＬＥＤ光源１０１からの放射光（混色光）が集光されるような入射角で入射する面であれば様々な形状が可能である。例えば、設定される配光角によっては概ね平面状となる場合もある。さらに、凹部１０２ｃは、ＬＥＤ光源１０１を取り囲む位置に設けられた内壁面を備えている。配光制御部１０２は、ＬＥＤ光源１０１からの放射光（混色光）を、この内壁面をも介して概ね漏れなく受光することができる。
【００５７】
分散制御部１０３は、配光角の制御された放射光を分散させる複数の配列した微小レンズを備えており、配光制御部１０２からの配光角が制御された光（混色光）を、配光制御部１０２における凹部１０２ｃとは反対側の出射位置を介して受光し、分散させて色の均一化を促進する光学系である。
【００５８】
ここで、配光制御部１０２の出射位置（分散制御部１０３との境界）は、本実施形態において平面状の微小レンズ配列面（ｘｙ面）となる。従って、配光制御部１０２は、出射面から配光角が制御された光を放射する面発光源と捉えることができ、一方、分散制御部１０３は、この面発光源から出射された配光の制御された光を、レンズ配列面を介して受光して分散させる分散制御光学系と捉えることができる。次に、分散制御部１０３における配列した微小レンズ群について、図３を用いて詳しく説明する。
【００５９】
図３は、本発明に係る点光源デバイスの分散制御部１０３における幾つかの実施形態を示す模式図である。
【００６０】
図３（Ａ）によれば、複数の微小レンズ１０３ａは、各レンズの頂点（中心）がｘｙ面内において正方格子をなすように配列されている。個々の微小レンズ１０３ａは、微小な半球又は半回転楕円体（半楕円球）の一部となる形状を有する。変更態様として、微小レンズ１０３ａの表面形状を非球面とすることも可能である。
【００６１】
ここで、以後に説明する各微小レンズにおいては、底面であるレンズ配列面（配光制御部１０２の出射位置、ｘｙ面）の反対側（出射する側）にある発光面における曲率半径をＲとする。この発光面は光の進行方向（＋z方向）に凸であるから、その曲率半径は本来負値である。しかしながら、計算等の便宜のため、以後、その絶対値をとってＲ値とし、このＲ値を曲率半径とする。また、隣接した微小レンズにおけるレンズ頂点間の距離（ピッチ）をＰとする。
【００６２】
図３（Ａ）に示した配列した微小レンズ１０３ａでは、曲率半径Ｒ及びピッチＰのいずれもが、ｘ軸方向とｙ軸方向との間で等しくなっている。即ち、これらの複数の微小レンズ１０３ａは等方性のレンズ系となっている。
【００６３】
次に、図３（Ｂ１）によれば、複数の微小レンズ１０３ａは、各レンズの頂点（中心）がｘｙ面内において長方格子（又は正方格子）をなすように配列されている。個々の微小レンズ１０３ａは、微小な半球又は半回転楕円体（半楕円球）の一部となる形状を有する。変更態様として、微小レンズ１０３ａの表面形状を非球面とすることも可能である。
【００６４】
これらの配列した複数の微小レンズ１０３ａにおいては、曲率半径Ｒ、ピッチＰ、又は曲率半径Ｒ及びピッチＰの両方が、曲率半径Ｒについてはレンズ配列面（ｘｙ面）におけるレンズ頂点を結ぶ１つの軸（ｘ軸）の方向とこの軸に垂直な軸（ｙ軸）の方向との間で、ピッチＰについてはレンズ配列面（ｘｙ面）内におけるレンズ頂点を結ぶ軸（ｘ軸及びｙ軸）それぞれの方向の間で、異なっている。具体的に、図３（Ｂ１）においては、ｙ軸方向の曲率半径Ｒyがｘ軸方向の曲率半径Ｒxよりも大きくなっており、また、ｙ軸方向のピッチＰyがｘ軸方向のピッチＰxよりも大きくなっている。即ち、これらの複数の微小レンズ１０３ａは異方性のレンズ系となっている。
【００６５】
図３（Ｂ２）に、図３（Ｂ１）の微小レンズ配列におけるｚｘ面による断面を示す。同図において曲率半径Ｒx及びピッチＰxが示されているが、これらの値はそれぞれ、同じ微小レンズ配列におけるｙｚ面による断面に現れる曲率半径Ｒy及びピッチＰyの値よりも小さくなっている。
【００６６】
次いで、図３（Ｃ）によれば、複数の微小レンズ１０３ａは、各レンズの頂点（中心）がｘｙ面内において三角格子（六角格子）をなすように配列されている。個々の微小レンズ１０３ａは、微小な半球又は半回転楕円体（半楕円球）の一部となる形状を有する。変更態様として、微小レンズ１０３ａの表面形状を非球面とすることも可能である。
【００６７】
これらの配列した複数の微小レンズ１０３ａにおいては、曲率半径Ｒ、ピッチＰ、又は曲率半径Ｒ及びピッチＰの両方が、曲率半径Ｒについてはレンズ配列面（ｘｙ面）におけるレンズ頂点を結ぶ１つの軸（ｘ軸）の方向とこの軸に垂直な軸（ｙ軸）の方向との間で、ピッチＰについてはレンズ配列面（ｘｙ面）内におけるレンズ頂点を結ぶ軸（ｘ'軸及びｙ軸）それぞれの方向の間で、異なっている。具体的に、図３（Ｃ）においては、ｙ軸方向の曲率半径Ｒyがｘ軸方向の曲率半径Ｒxよりも大きくなっており、また、ｙ軸方向のピッチＰyがｘ'軸方向のピッチＰx'よりも大きくなっている。即ち、これらの複数の微小レンズ１０３ａは異方性のレンズ系となっている。
【００６８】
以上に説明したように、分散制御部１０３の微小レンズ１０３ａの配列は、種々の形態をとることが可能である。また、当然に、以上に示した形態に限定されるものでもない。特に、図３（Ｂ１）及び（Ｃ）に示したような異方性を有する微小レンズ１０３ａは、曲率半径Ｒ、ピッチＰ、又は曲率半径Ｒ及びピッチＰの両方が、曲率半径Ｒについてはレンズ配列面内における１つの軸の方向とこの軸に垂直な軸の方向との間で、ピッチＰについてはレンズ配列面内におけるレンズ頂点を結ぶ軸それぞれの方向の間で、異なっているものであれば、種々の形態をとることができる。
【００６９】
次に、図３（Ｂ１）に示したような長方格子状に配列した複数の微小レンズ１０３ａを備えた分散制御部１０３を有するＬＥＤ照明デバイス１０を使用して実施された光学シミュレーション照射実験（実施例ａ）の結果を説明する。
【００７０】
図４（Ａ）は、本発明に係る点光源デバイスを用いた照射実験の実施例ａにおける照明形状を示すグラフである。
【００７１】
この実施例ａでは、配光制御部１０２の配光角θｄは９°であり、配光制御部１０２のレンズ径ｄｄは２３ｍｍ（ミリメートル）である。また、曲率半径Ｒｘ及びＲyは共に１.０ｍｍであって等しい。さらに、微小レンズ間のピッチＰx及びＰyはそれぞれ０.８ｍｍ及び１.２ｍｍであり、ピッチＰが異方性を有している。即ち、ピッチＰが、レンズ頂点を結ぶ複数の軸であって互いに垂直なx軸及びｙ軸それぞれの方向の間で、異なっている。その結果、比Ｐ／Ｒも異方性を有している（Ｐx／Ｒx＝０.８、Ｐy／Ｒy＝１.２）。
【００７２】
図４（Ａ）に示すように、ｘ軸方向及びｙ軸方向に関して照射光の分散が異方性を有する実施例ａでは、出射光が照明対象平面を照射した際の照明形状は、略長方形状となる。ここで、図４（Ａ）の照度分布は、微小レンズ１０３ａ群から光軸に沿って１ｍの位置にある（光軸に垂直な）平面状での分布となっている。
【００７３】
このように、微小レンズ１０３ａを長方格子状に配列させ、比Ｐ／Ｒ（ピッチＰ）に異方性を持たせることによって、照明形状を長方形状に制御可能なことが理解される。また、本シミュレーション実験においては、照明形状内に、中央部の青色及び黄色リングに対応する分布は見られず、照射光の均一化が促進されていることも確認されている。
【００７４】
次に、図３（Ｃ）に示したような三角形（六角形）格子状に配列した複数の微小レンズ１０３ａを備えた分散制御部１０３を有するＬＥＤ照明デバイス１０を使用して実施された光学シミュレーション照射実験（実施例ｂ）の結果を説明する。
【００７５】
図４（Ｂ）は、本発明に係る点光源デバイスを用いた照射実験の実施例ｂにおける照明形状を示すグラフである。
【００７６】
この実施例ｂでも、配光制御部１０２の配光角θｄは９°であり、配光制御部１０２のレンズ径ｄｄは２３ｍｍである。また、曲率半径Ｒx及びＲyはそれぞれ１.０ｍｍ及び２.０ｍｍであって、曲率半径Ｒが異方性を有している。即ち、曲率半径Ｒが、ｘ軸の方向とｘ軸に垂直なｙ軸の方向との間で異なっている。一方、微小レンズ間のピッチＰｘ’及びＰyは共に０.８ｍｍであって等しい。その結果、比Ｐ／Ｒは異方性を有する（Ｐｘ’／Ｒｘ＝０.８、Ｐy／Ｒy＝０.４）。
【００７７】
図４（Ｂ）に示すように、ｘ軸方向及びｙ軸方向に関して照射光の分散が異方性を有する実施例ｂでは、出射光が照明対象平面を照射した際の照明形状は、略楕円形状となる。ここで、図４（Ｂ）の照度分布も、微小レンズ１０３ａ群から光軸に沿って１ｍの位置にある（光軸に垂直な）平面状での分布となっている。
【００７８】
このように、微小レンズ１０３ａを三角形（六角形）格子状に配列させ、比Ｐ／Ｒ（曲率半径Ｒ）に異方性を持たせることによって、照明形状を楕円形状に制御可能なことが理解される。また、本シミュレーション実験においても、照明形状内に、中央部の青色及び黄色リングに対応する分布は見られず、照射光の均一化が促進されていることが確認されている。
【００７９】
ここで、微小レンズ１０３ａの配列及び照明形状は、当然に、以上に説明した形態に限定されるものではない。例えば、本願発明者等を含む出願に係る特開２０１３−１０５９４２号公報や、特開２０１３−２３５８２０号公報に記載された他の微小レンズの配列や照明形状を適用することも可能である。
【００８０】
また、曲率半径Ｒ及びピッチＰにおける異方性の程度は、（Ｒy−Ｒx）／Ｒxや、（Ｐy−Ｐx）／Ｐxで表されるが、これらの値の絶対値が、製造現場での光学系加工精度の下、５％又はそれ以上となるような異方性ならば、曲率半径Ｒ及びピッチＰを調整して所望の形状を実現できることが実験により確認されている。
【００８１】
以上に説明したように、本発明に係るＬＥＤ照明デバイス１０によれば、照射光の混色化・色均一化が促進されＬＥＤ光源１０１に起因する、例えば黄色リング等の色ムラ発生を抑制可能となる。また、微小レンズ１０３ａの配置、曲率半径Ｒ及びピッチＰといった光学的構成を制御することによって、色ムラ発生を抑制しつつ様々な照明形状を実現することが可能となる。
【００８２】
ここで、略長方形状における「略」の範囲を説明する。最初に、照明領域は、出射光の配光角（半値全角幅）範囲内の光が、ＬＥＤ照明デバイス１０の直下にある（出射面の法線に垂直な）照明対象面を照明する領域であるとする。また、照明形状は、この照明領域の形状であるとする。この照明形状に外接する最小の長方形又は正方形を想定した際、この照明領域（照明形状）の面積Ｓと、この外接する長方形又は正方形の面積Ｓ０との比ｒ（≦１）が、
（３）  ｒ＝Ｓ／Ｓ０≧０.９
の条件を満たす場合、この照明領域の照明形状は「略」長方形状であるとする。
【００８３】
上式（３）におけるｒ＝０.９の下限値は、曲率半径Ｒ及びピッチＰにおける異方性の程度が上述したように約５％である場合の値である。製造現場での光学系加工精度の下、少なくとも異方性の設定が５％以上であれば異方性の照明形状に対する効果が確実となり、この際得られた照明形状を「略」長方形状の境界としたものである。
【００８４】
尚、一般に楕円の面積とこの楕円に外接する長方形の面積との比は、約０.７９となる。上述したｒ＝０.９の値は、この約０.７９と１との概ね中央値（中間値）となっている。さらに、略楕円形状における「略」の範囲についても、それぞれ内接する最大の楕円形の面積を用いて、同様に規定される。
【００８５】
［照明方法］
図５は、従来の照明方法の一例、及び本発明による照明方法における幾つかの実施形態を示す模式図である。
【００８６】
最初に、図５（Ａ）によれば、従来のＬＥＤ照明器具５を用いて、旋盤３の主軸部を含む作業領域を照明している。ここで、ＬＥＤ照明器具５は、通常のＬＥＤを用いた光源５０と、通常使用される周知の凸レンズを含む光学系とを備えている。この場合、照明された主軸第１外面３１及び主軸第２外面３２にはそれぞれ、複数の輝線が密集した状態で観察される。また、出現した輝線は色ムラを伴っている。
【００８７】
このような輝線が観察される結果、作業者は、例えば微細な加工等の作業を目視で行う場合に、これらの輝線によって作業がやりづらくなる。さらに、作業の妨げとなるビビり等の現象に対処することも困難となってしまう。
【００８８】
次に、図５（Ｂ）によれば、本発明に係る複数のＬＥＤ照明デバイス１０を備えたＬＥＤ照明装置１を用いて、旋盤３の主軸部を含む作業領域を照明している。ここで、このＬＥＤ照明装置１は、図２に示したＬＥＤ照明装置１におけるＬＥＤ照明デバイス１０群の３つの列に代えて、列伸長方向（ｙ軸方向）におけるＬＥＤ光源１０１の位置について互いにずれている２つの列を採用したものである。具体的には、１つの列における列伸長方向（ｙ軸方向）でのＬＥＤ光源１０１の位置が、他方の列におけるＬＥＤ光源１０１の位置の間の中点位置となっている。
【００８９】
この場合、照明された主軸第１外面３１及び主軸第２外面３２ではそれぞれ、複数の輝線の出現が抑制され概ね解消されていて、代わりに１つの幅広の輝線又は輝帯が現れている。また、このような光像に色ムラは観察されない。尚、本実施形態においては、曲率半径のより大きな（より平面に近い）曲面をなす主軸第１外面３１には、凝視すれば判別される程度の曖昧さをもって複数の輝線がわずかに観察されている。
【００９０】
しかしながら、複数の輝線は概ね解消されているので、作業者は、例えば微細な加工等の作業を目視で行う場合に、輝線やその色ムラによって作業がやりづらくなる事態を回避することができる。さらに、作業の妨げとなるビビり等の現象に対処することも容易となる。
【００９１】
次いで、図５（Ｃ）によれば、図２に示した３列に並んだＬＥＤ照明デバイス１０を備えたＬＥＤ照明装置１を用いて、旋盤３の主軸部を含む作業領域を照明している。この場合、照明された主軸第１外面３１及び主軸第２外面３２ではそれぞれ、複数の輝線の出現が抑制され完全に解消されていて、代わりに１つの幅広の輝線又は輝帯が現れている。また、このような光像に色ムラは観察されない。
【００９２】
その結果、作業者は、例えば微細な加工等の作業を目視で行う場合に、輝線やその色ムラによって作業がやりづらくなる事態をより確実に回避することができる。さらに、作業の妨げとなるビビり等の現象に対処することも非常に容易となる。
【００９３】
次に、図５（Ｂ）及び図５（Ｃ）に示したＬＥＤ照明装置１において、それぞれ２列及び３列に並んだＬＥＤ照明デバイス１０の各々を、図３（Ｂ１）又は図３（Ｃ）に示したような異方性微小レンズを備えたデバイスとした場合を、以下に説明する。ここで、このようなＬＥＤ照明デバイス１０からの出射光による照明形状における長手方向は、次に図６（Ｃ１）を用いて説明するように、主軸第１外面３１及び主軸第２外面３２における１つの基準接線ｔの方向と平行となるように設定される。
【００９４】
この場合においても、照明された主軸第１外面３１及び主軸第２外面３２ではそれぞれ、複数の輝線の出現が抑制され完全に解消されて、代わりに１つの幅広の輝線又は輝帯が現れる。また、このような光像に色ムラは観察されない。その結果、作業者は、例えば微細な加工等の作業を目視で行う場合に、輝線やその色ムラによって作業がやりづらくなる事態をより確実に回避することができる。さらに、作業の妨げとなるビビり等の現象に対処することも非常に容易となる。
【００９５】
図６は、従来の照明方法の一例、及び本発明による照明方法における幾つかの実施形態を示す模式図である。
【００９６】
最初に、図６（Ａ１）に示すような通常のＬＥＤを用いた光源５０と、通常使用される周知の凸レンズを含む光学系とを用いて、主軸第１外面３１、主軸第２外面３２や、加工材外面４１といった作業関連面を照明した場合を説明する。この場合、作業関連面には、図６（Ａ２）に示すような複数の輝線が観察される。また、これらの輝線は色ムラも伴っている。これらの輝線の数は通常、点光源である光源５０の数と一致する。即ち、各輝線が１つの点光源由来の光像となっている。ここで、輝線の間隔は、作業関連面の曲率や凹凸具合、さらには光源５０の設置間隔等にも依存して決まる量となっているが、通常、作業関連面の曲率半径が大きいほど（作業関連面がより平面に近いほど）大きくなる。
【００９７】
次に、図６（Ｂ１）に示すような本発明に係る複数のＬＥＤ照明デバイス１０を用いて作業関連面を照明した場合を説明する。ここで、これらのＬＥＤ照明デバイス１０は、図３（Ａ）に示したような等方的な微小レンズ１０３ａ群の配列を有し、１列に並んでいて、各デバイス１０からの出射光による照明形状は円形状となっている。
【００９８】
この場合でも、作業関連面には、図６（Ｂ２）に示すようなＬＥＤ光源１０１に由来する複数の輝線が観察される。しかしながら、各輝線の幅は、図６（Ａ１）のものと比べて広くなっており、輝線による見た目の煩わしさは低減している。また、図６（Ａ１）において見られた色ムラは解消されている。このような輝線の幅の拡大や色ムラの解消は、ＬＥＤ照明デバイス１０によって配光角の制御された且つ分散させられた出射光が生成されていることによる。特に、このような分散した出射光が作業関連面に映る場合、その光像の鋭さは緩和されるのである。
【００９９】
尚、図６（Ｂ２）に示すように、等方性の微小レンズ１０３ａ群を有していて１列に配列した複数のＬＥＤ照明デバイスでは、通常の工作機械の有する程度の曲率又は凹凸度合いを持つ作業関連面には、複数の輝線が若干映ってしまう場合の多いことが確認されている。
【０１００】
次いで、図６（Ｃ１）に示すような本発明に係る複数のＬＥＤ照明デバイス１０を用いて作業関連面を照明した場合を説明する。ここで、これらのＬＥＤ照明デバイス１０は、図３（Ｂ１）及び図３（Ｃ）に示したような異方的な微小レンズ１０３ａ群の配列を有し、１列に並んでいて、各デバイス１０からの出射光による照明形状はそれぞれ、略長方形状（図４（Ａ）参照）及び略楕円形状（図４（Ｂ）参照）となっている。また、この照明形状の長手方向（ｙ軸方向）は、図１（Ａ）に示した主軸第１外面３１及び主軸第２外面３２における１つの基準接線ｔの方向（Ｙ軸方向）と平行となるように設定されている。具体的には、図１（Ａ）において、ＬＥＤ照明デバイス１０のｙ軸方向（照明形状の長手方向）が、ＬＥＤ照明装置１の長手方向、即ちＹ軸方向（１つの基準接線ｔの方向）と揃うように、ＬＥＤ照明デバイス１０を配置している。
【０１０１】
この場合、作業関連面には、図６（Ｃ２）に示すように、ＬＥＤ光源１０１に由来する複数の輝線は全く観察されず、代わりに１つの幅広の輝線又は輝帯が観察される。また、図６（Ａ１）において見られた色ムラも解消されている。このような複数輝線の解消や色ムラの解消は、ＬＥＤ照明デバイス１０によって、
（ａ）配光角の制御された且つ分散させられた出射光であって、
（ｂ）ｙ軸方向（長手方向）に伸長した照明形状が、作業関連面に映る輝線の幅を拡大して互いに重畳するように制御された出射光
が生成されていることによる。特に、上記（ｂ）のような照明形状を有する出射光が、作業関連面に映るので、その光像は幅広となって鋭い輝線が解消されるのである。
【０１０２】
このように、図６（Ｃ２）に示すように、異方性の微小レンズ１０３ａ群を有する複数のＬＥＤ照明デバイス１０を用いることによって、ただ１列に配列しただけであっても、通常の工作機械の有する程度の曲率又は凹凸度合いを持つ作業関連面に、複数の輝線は映り込まず、作業の邪魔になるような又はビビり発生の察知を妨げるような光像は解消されることが確認されている。
【０１０３】
尚、これらのＬＥＤ照明デバイス１０からの出射光における照明形状の長手方向は、図６（Ｄ）に示すように、ＸＹ面上において作業関連面における１つの基準接線ｔの方向と所定の鋭角θth2以内で揃うような方向に設定されてもよい。即ち、この照明形状の長手方向（ｙ軸方向）である装置１の長手方向のＸＹ面上への射影の方向が、図１（Ａ）のＹ軸方向（作業関連面上における最上位置の基準接線ｔ31、ｔ32及びｔ41の方向）と所定の鋭角θth2以内の角度で交わる方向であってもよい。この所定の鋭角θth2は、作業関連面の曲率や凹凸具合、さらには照明形状の具体的な形にも依存する値であり、複数の輝線が解消される条件として実際の現場での実験で決定されてもよく、経験値として設定されてもよい。鋭角θth2としては実際に例えば２５°といった値が設定され得る。
【０１０４】
以上に説明したように、等方性の微小レンズ１０３ａを備えたＬＥＤ照明デバイス１０を１列に配列して照明に使用した場合でも、複数の輝線の抑制効果が観察される。これに対し、異方性の微小レンズ１０３ａを備えたＬＥＤ照明デバイス１０を使用した場合は、例えデバイス１０が１列であっても、複数の輝線は確実に解消されることが理解される。尚、当然に、図５（Ｃ）を用いて説明したように、異方性の微小レンズ１０３ａを備えたＬＥＤ照明デバイス１０を、ＬＥＤ光源１０１の位置をずらしつつ２列又は３列以上に配列させて使用した場合、複数の輝線はより完全に解消されることも確認されている。
【０１０５】
［実施例１及び２］
図７は、本発明による照明方法の実施例１及び実施例２を示す模式図及びテーブルである。また、図８及び図９は、それぞれ実施例１及び２における作業関連面での輝線映り込みの様子を示す写真である。
【０１０６】
図７（Ａ）に示したように、
（ａ）実施例１では、等方性の微小レンズ１０３ａを備えた複数のＬＥＤ照明デバイス１０を、３列に配列して照明に使用し、一方、
（ｂ）実施例２では、異方性の微小レンズ１０３ａを備えた複数のＬＥＤ照明デバイス１０を、同じく３列に配列して照明に使用した。
ここで、実施例２の異方性微小レンズ１０３ａのＲx及びＲyはいずれも１.０ｍｍであり、Ｐx及びＰyはそれぞれ０．７及び０.８ｍｍであった。
【０１０７】
また、実施例１における1つの列の中でのＬＥＤ光源１０１の間隔Ｄ1（図２（Ａ））は１９.０ｍｍであり、列間のＬＥＤ光源１０１位置のズレ量（ピッチ）ｄ1、ｄ2及びｄ3（図２（Ａ））は６.３ｍｍであった。また、ＬＥＤ照明デバイス１０は1つの列当たり１２個並んでいた。一方、実施例２における1つの列の中でのＬＥＤ光源１０１の間隔Ｄ1（図２（Ａ））は１０.８ｍｍであり、列間のＬＥＤ光源１０１位置のズレ量（ピッチ）ｄ1、ｄ2及びｄ3（図２（Ａ））は３.６ｍｍであった。また、ＬＥＤ照明デバイス１０は1つの列当たり２１個並んでいた。
【０１０８】
実施例１及び２では、使用した複数のＬＥＤ照明デバイス１０（を備えたＬＥＤ照明装置１）と照明対象である作業関連面との距離ｒdを、それぞれ２０〜１００ｃｍ（センチメートル）及び２０〜７０ｃｍの間で変化させて照明を行った。ここで、作業関連面は、直径２ｒc（ｒcは半径）が２７２ｍｍ、１６８ｍｍ及び３２ｍｍの円柱の外周面の一部であった。いずれの作業関連面も光を反射する、即ち輝線が生じ得る曲面であったが、２ｒc＝２７２（ｍｍ）の作業関連面は、金属面に塗料が塗布されたものであった。また、２ｒc＝１６８（ｍｍ）の作業関連面は、比較的表面粗さの高い金属面であり、ｒc＝３２（ｍｍ）の作業関連面は、光沢を有する金属面であった。
【０１０９】
以上説明したような条件下でこれらの作業関連面の照明を行い、観察者が、作業関連面に複数の輝線を視認できたか否かを判定する実験（実施例１及び実施例２）を行った。実施例１の結果を図７（Ｂ）のテーブルに示し、実施例２の結果を図７（Ｃ）のテーブルに示す。
【０１１０】
図７（Ｂ）のテーブルによれば、等方性微小レンズ１０３ａ系を用いた実施例１では、２ｒc＝２７２（ｍｍ）の作業関連面の場合、距離ｒdが８０ｃｍ以上において、複数の輝線が解消している。即ち、距離閾値ｒdthを８０ｃｍとして、ＬＥＤ照明デバイス１０（を備えたＬＥＤ照明装置１）を、この距離閾値ｒdth以上の距離をもって作業関連面から離隔した位置に配置することによって、複数の輝線を解消できることが理解される。同じく実施例１において、２ｒc＝１６８（ｍｍ）の作業関連面の場合も、距離ｒdが８０ｃｍ以上において複数の輝線が解消し、一方、２ｒc＝３２（ｍｍ）の作業関連面の場合は、距離ｒdが７０ｃｍ以上において複数の輝線が解消している。このように、２ｒc＝１６８（ｍｍ）の場合、距離閾値ｒdthは８０ｃｍであり、２ｒc＝３２（ｍｍ）の場合、距離閾値ｒdthは７０ｃｍであることが理解される。
【０１１１】
即ち、図７（Ｂ）のテーブルにおいて距離閾値ｒdthの示す境界として示した太線の位置からも分かるように、直径２ｒcが小さくなるほど距離閾値ｒdthも小さくなる傾向が見られる。これは、曲率の大きな作業関連面であるほど、ＬＥＤ照明デバイス１０の位置がこの作業関連面のより近くであっても輝線解消効果が見込まれることを意味する。
【０１１２】
ここで、実施例１の２ｒc＝１６８（ｍｍ）の作業関連面の場合における、距離ｒd＝３０ｃｍ及び８０ｃｍでの輝線映り込みの様子を、それぞれ図８（Ａ）及び（Ｂ）に示す。図８（Ａ）の距離ｒd＝３０ｃｍ（＜ｒdth＝８０ｃｍ）では、複数の輝線が観察されることが分かる。一方、図８（Ｂ）の距離ｒd＝８０ｃｍ（＝ｒdth）では、複数の輝線が解消して１つの輝帯となっていることが理解される。
【０１１３】
また、実施例１の２ｒc＝３２（ｍｍ）の作業関連面の場合における、距離ｒd＝２０ｃｍ及び７０ｃｍでの輝線映り込みの様子を、それぞれ図８（Ｃ）及び（Ｄ）に示す。図８（Ｃ）の距離ｒd＝２０ｃｍ（＜ｒdth＝７０ｃｍ）では、複数の輝線が観察されることが分かる。一方、図８（Ｄ）の距離ｒd＝７０ｃｍ（＝ｒdth）では、複数の輝線が解消して１つの輝帯となっていることが理解される。
【０１１４】
次に、実施例２の観察結果を説明する。図７（Ｃ）のテーブルによれば、異方性微小レンズ１０３ａ系を用いた実施例２では、２ｒc＝２７２（ｍｍ）の作業関連面の場合、距離ｒdが４０ｃｍ以上において、複数の輝線が解消している。即ち、距離閾値ｒdthは４０ｃｍであることが理解される。同じく実施例２において、２ｒc＝１６８（ｍｍ）の作業関連面の場合は、距離ｒdが３０ｃｍ以上において複数の輝線が解消し、２ｒc＝３２（ｍｍ）の作業関連面の場合は、距離ｒdが２５ｃｍ以上において複数の輝線が解消している。このように、２ｒc＝１６８（ｍｍ）の場合、距離閾値ｒdthは３０ｃｍであり、２ｒc＝３２（ｍｍ）の場合、距離閾値ｒdthは２５ｃｍであることが理解される。
【０１１５】
次いで、実施例２の２ｒc＝１６８（ｍｍ）の作業関連面の場合における、距離ｒd＝２０ｃｍ及び３０ｃｍでの輝線映り込みの様子を、それぞれ図９（Ａ）及び（Ｂ）に示す。図９（Ａ）の距離ｒd＝２０ｃｍ（＜ｒdth＝３０ｃｍ）では、複数の輝線が観察されることが分かる。一方、図９（Ｂ）の距離ｒd＝３０ｃｍ（＝ｒdth）では、複数の輝線が解消して１つの輝帯となっていることが理解される。
【０１１６】
また、実施例２の２ｒc＝３２（ｍｍ）の作業関連面の場合における、距離ｒd＝２０ｃｍ及び３０ｃｍでの輝線映り込みの様子を、それぞれ図９（Ｃ）及び（Ｄ）に示す。図９（Ｃ）の距離ｒd＝２０ｃｍ（＜ｒdth＝２５ｃｍ）では、複数の輝線が観察されることが分かる。一方、図９（Ｄ）の距離ｒd＝３０ｃｍ（＞ｒdth＝２５ｃｍ）では、複数の輝線が解消して１つの輝帯となっていることが理解される。
【０１１７】
さらに、図７（Ｃ）のテーブルにおいて距離閾値ｒdthの示す境界として示した太線の位置からも分かるように、実施例２においても、直径２ｒcが小さくなるほど距離閾値ｒdthも小さくなる傾向が見られることが分かる。これは、曲率の大きな作業関連面であるほど、ＬＥＤ照明デバイス１０の位置がこの作業関連面のより近くであっても輝線解消効果が見込まれることを意味する。
【０１１８】
但し、図７（Ｂ）及び図７（Ｃ）のテーブルでの太線位置を比較することによって理解されるように、実施例２では、作業関連面の直径（曲率）に関わらず、実施例１よりも距離閾値ｒdthがより小さい値となっている。これは、実施例２では、
（ａ）微小レンズ１０３ａの異方性の作用が輝線解消効果を促進すること、及び
（ｂ）列間のＬＥＤ光源１０１位置のズレ量（ピッチ）ｄ1、ｄ2及びｄ3が３.６ｍｍであって、実施例１（６.３ｍｍ）よりも小さいこと
が起因しているためと考えられる。
【０１１９】
ここで、実施例１及び２における、作業関連面の半径ｒcと距離閾値ｒdthとの関係を説明する。半径ｒcと距離閾値ｒdthとの間に、次式
（４）  ｒdth＝λ・ｒc
の関係が成り立つと仮定する。但し、以下、距離閾値ｒdthの単位を、半径ｒcと同じくミリメートル（ｍｍ）とする。すると、実施例１及び２における半径ｒcが１３６（＝２７２／２）ｍｍ、８４（＝１６８／２）ｍｍ、１６（＝３２／２）ｍｍの場合での比例係数λは、以下の通りに算出される。
＜実施例１＞
半径ｒc＝１３６ｍｍ：  比例係数λ1136＝５.８８
半径ｒc＝８４ｍｍ  ：  比例係数λ184＝９.５２
半径ｒc＝１６ｍｍ  ：  比例係数λ116＝４３.８
＜実施例２＞
半径ｒc＝１３６ｍｍ：  比例係数λ2136＝２.９４
半径ｒc＝８４ｍｍ  ：  比例係数λ284＝３.５７
半径ｒc＝１６ｍｍ  ：  比例係数λ216＝１５.６
【０１２０】
次いで、各半径ｒcの場合において、実施例１及び実施例２における比例係数λの比をとると、
（５）  λ2136＝０.５００λ1136
（６）  λ284＝０.３７５λ184
（７）  λ216＝０.３５７λ116
と算出される。
【０１２１】
上式（５）〜（７）によれば、実施例１の比例係数λ1と、実施例２の比例係数λ2との比λ2／λ1は、いずれの半径ｒcの場合においても１未満の値となっている。これは、実施例２の異方性微小レンズ配列による輝線解消効果が、実施例１の等方性微小レンズ配列の場合と比べてより顕著に奏功し、距離閾値ｒdthをより押し下げていることを意味するものと考えられる。
【０１２２】
因みに、上式（５）〜（７）における比例係数の比λ2／λ1の値に見られる相違は、上述したような作業関連面の材質の違いに起因するものと考えられる。実際、ｒc＝３２（ｍｍ）の作業関連面（光沢を有する金属面）、２ｒc＝１６８（ｍｍ）の作業関連面（比較的表面粗さの高い金属面）、及び２ｒc＝２７２（ｍｍ）の作業関連面（金属面に塗料が塗布されたもの）の順に、鏡面に近い光沢のある表面を呈している。従って、上式（５）〜（７）における比例係数の比λ2／λ1は、作業関連面が鏡面に近い光沢のある表面に近づくほど小さな値となっていることが分かる。
【０１２３】
このことから、実施例２の異方性微小レンズ１０３ａによる輝線解消効果は、光の分散の小さい鏡面に近い表面ほどより顕著に発揮されることが理解される。従って、例えば、旋盤等において表面に光沢のある金属棒等を微細加工する場合に、本発明の異方性微小レンズ１０３ａ系を使用することは、作業の邪魔となる複数の輝線を解消する点で非常に好適となるのである。
【０１２４】
以上、詳細に説明したように、本発明によれば、点光源によって工作機械を含む作業領域を照明した際に、作業関連面に出現していた複数の輝線を、確実に解消することが可能となる。これにより、作業者は、例えばＬＥＤ等による高い照度及び低消費電力を享受しつつ、良好な作業の妨げとなるビビり等の現象にも容易に対処することができる。また、微細な加工等の作業を目視で行う場合でも、煩わされる光像から解放され、より良好な作業を行うことが可能となる。
【０１２５】
さらに、本発明によれば、作業関連面に映り込んだ輝線の周囲に現れる色ムラも解消される。その結果、作業者は、例えば微細な加工等の作業を目視で行う場合に、輝線やその色ムラによって作業がやりづらくなる事態をより確実に回避することができるのである。
【０１２６】
以上に述べた実施形態は全て、本発明を例示的に示すものであって限定的に示すものではなく、本発明は、他の種々の変形態様及び変更態様で実施することができる。従って、本発明の範囲は、特許請求の範囲及びその均等範囲によってのみ規定されるものである。
【符号の説明】
【０１２７】
１  ＬＥＤ照明装置
１０  ＬＥＤ照明デバイス（点光源デバイス）
１０１  ＬＥＤ光源（点光源）
１０２  配光制御部
１０３  分散制御部
１０３ａ  微小レンズ
１１  基台
１２  制御部
１３  配線
２  ＬＥＤ照明システム
３  旋盤（工作機械）
３１  主軸第１外面（作業関連面）
３２  主軸第２外面（作業関連面）
４  加工材
４１  加工材外面（作業関連面）
５  ＬＥＤ照明器具
５０  光源
【図１】
0006634568.tif 000002
【図２】
0006634568.tif 000003
【図３】
0006634568.tif 000004
【図４】
0006634568.tif 000005
【図５】
0006634568.tif 000006
【図６】
0006634568.tif 000007
【図７】
0006634568.tif 000008
【図８】
0006634568.tif 000009
【図９】
0006634568.tif 000010